(57)【要約】【課題】視覚障害者に対して時刻を正確かつ迅速に認識させることができる時計を提供する。【解決手段】時計１は、外部に露出した表示領域２ａに並んで配置された複数の時表示部材３０を有し、所定の時表示部材３０が所定の時表示部材３０以外の時表示部材３０に対して変位する時表示部２１と、表示領域２ａに並んで配置された複数の分表示部材４０を有し、所定の分表示部材４０が所定の分表示部材４０以外の分表示部材４０に対して変位する分表示部２２と、を備える。【選択図】図１
2018072208.tif 000002
【特許請求の範囲】
【請求項１】
外部に露出した表示領域に並んで配置された複数の時表示部材を有し、所定の前記時表示部材が前記所定の時表示部材以外の前記時表示部材に対して変位する時表示部と、
前記表示領域に並んで配置された複数の分表示部材を有し、所定の前記分表示部材が前記所定の分表示部材以外の前記分表示部材に対して変位する分表示部と、
を備えることを特徴とする時計。
【請求項２】
前記複数の時表示部材、および前記複数の分表示部材は、所定軸回りの周方向に並んで配置されている、
ことを特徴とする請求項１に記載の時計。
【請求項３】
前記分表示部は、前記所定軸の軸方向から見て、前記時表示部よりも外側に配置されている、
ことを特徴とする請求項２に記載の時計。
【請求項４】
前記表示領域に前記周方向に並んで配置された複数の指標を備え、
隣り合う一対の前記指標は、互いに異なる形状に形成されている、
ことを特徴とする請求項２または３に記載の時計。
【請求項５】
第１の前記指標は、前記所定軸の軸方向における前記表示領域側から見て、前記周方向における反時計回り方向に隣り合う第２の前記指標よりも、前記所定軸に直交する径方向の寸法が大きくなるように形成されている、
ことを特徴とする請求項４に記載の時計。
【請求項６】
前記時表示部は、１２個の前記時表示部材を有し、
前記分表示部は、６０個の前記分表示部材を有する、
ことを特徴とする請求項１から５のいずれか１項に記載の時計。
【請求項７】
外部から操作可能な操作入力部材を備え、
前記所定の時表示部材および前記所定の分表示部材は、前記操作入力部材が操作された場合に変位する、
ことを特徴とする請求項１から６のいずれか１項に記載の時計。
【請求項８】
前記所定の時表示部材、および前記所定の分表示部材は、前記表示領域が面する方向に向かって突出する、
ことを特徴とする請求項１から７のいずれか１項に記載の時計。
【請求項９】
前記複数の時表示部材および前記複数の分表示部材のうちいずれか１つの部材に当接する当接部、および前記部材の変位する方向と交差する方向に沿って前記当接部を変位させる動力部を有する駆動部と、
前記当接部の変位により前記部材を変位させるカム機構と、
を備えることを特徴とする請求項８に記載の時計。
【請求項１０】
前記動力部は、形状記憶合金により形成されるとともに、電流が流れることで伸縮する、
ことを特徴とする請求項９に記載の時計。
【発明の詳細な説明】
【技術分野】
【０００１】
本発明は、時計に関するものである。
【背景技術】
【０００２】
従来、視覚障害者（弱視者や全盲者等）用の時計として、時刻を点字表示するものがある。例えば、下記特許文献１には、時刻を点字表示可能な携帯型点字表示装置として、回転円盤上に点字を連続表示する点字表示部と、点字表示部を体の一部に取り付ける部材と、点字表示部を開閉自在に閉蓋する蓋体とからなり、点字表示部が触覚面に点字を表示する複数個のピンを進退可能に備えた回転部材と、ピンを触覚面から突出させるアクチュエータと、ピンに当接してピンを触覚面側に後退させる後退手段と、アクチュエータを選択的に駆動する選択駆動手段と、回転部材を回転駆動する回転駆動手段と、を備えたものが開示されている。この携帯型点字表示装置によれば、回転する回転部材の触覚面に指を軽く載置しておくと、あたかも点字紙上をなぞっていく状態に相当し、連続して１文節等を順次表示できるうえ、点字紙のような改行操作が不要となり、障害者にとって極めて使い勝手の良い装置となるとされている。
【先行技術文献】
【特許文献】
【０００３】
【特許文献１】特開２００４−３０２４３７号公報
【発明の概要】
【発明が解決しようとする課題】
【０００４】
しかしながら、時刻を点字により表示する場合には、少なくとも時分を表す４桁の数字を表すために、点字を４文字配置しなければならない。このため、使用者は、正確な時刻を調べる際に、点字を４文字識別する必要がある。したがって、従来技術にあっては、視覚障害者に対して時刻を正確かつ迅速に認識させるという点で改善の余地がある。
【０００５】
そこで本発明は、視覚障害者に対して時刻を正確かつ迅速に認識させることができる時計を提供するものである。
【課題を解決するための手段】
【０００６】
本発明の時計は、外部に露出した表示領域に並んで配置された複数の時表示部材を有し、所定の前記時表示部材が前記所定の時表示部材以外の前記時表示部材に対して変位する時表示部と、前記表示領域に並んで配置された複数の分表示部材を有し、所定の前記分表示部材が前記所定の分表示部材以外の前記分表示部材に対して変位する分表示部と、を備えることを特徴とする。
【０００７】
本発明によれば、使用者に表示領域を触れさせることで、表示領域に並んで配置された複数の時表示部材のうち変位した所定の時表示部材、および表示領域に並んで配置された複数の分表示部材のうち変位した所定の分表示部材を把握させることができる。このため、表示する時刻の時に対応して変位する所定の時表示部材、および分に対応して変位する所定の分表示部材を、各時刻に対応して予め設定しておくことで、使用者が視覚に頼ることなく時刻を認識することができる。しかも、変位した時表示部材および分表示部材の位置を把握するだけで時刻を認識できるので、時刻が４文字の点字で表示される従来技術と比較して、使用者が時刻を迅速に認識することができる。したがって、視覚障害者に対して時刻を正確かつ迅速に認識させることができる。
【０００８】
上記の時計において、前記複数の時表示部材、および前記複数の分表示部材は、所定軸回りの周方向に並んで配置されている、ことが望ましい。
【０００９】
本発明によれば、一般的なアナログ式時計のように時針および分針の周方向の位置を把握することで時刻を認識する構成と同様に、変位した時表示部材および分表示部材の周方向の位置を把握するだけで時刻を認識できる。したがって、直感的に時刻を認識することが可能となるので、視覚障害者に対して時刻をより迅速に認識させることができる。
【００１０】
上記の時計において、前記分表示部は、前記所定軸の軸方向から見て、前記時表示部よりも外側に配置されている、ことが望ましい。
【００１１】
一般的なアナログ式時計では、分針が時針よりも長く形成されている。すなわち、分針の先端は、時針の先端よりも回転軸から離れた位置に位置する。
本発明によれば、周方向に並んで配置された複数の分表示部材を有する分表示部が、周方向に並んで配置された複数の時表示部材を有する時表示部よりも外側に配置されているので、変位した所定の時表示部材および所定の分表示部材に触れた際に、いずれが分表示部材であるかを、一般的なアナログ式時計の時針と分針との位置関係に対応付けて直感的に識別することができる。したがって、視覚障害者に対して時刻をより迅速に認識させることができる。
【００１２】
上記の時計において、前記表示領域に前記周方向に並んで配置された複数の指標を備え、隣り合う一対の前記指標は、互いに異なる形状に形成されている、ことが望ましい。
【００１３】
本発明によれば、使用者に指標を触れさせて指標の形状を識別させることで、指標の形状の差異により、触れた指標の周方向における位置を把握させることができる。これにより、変位した所定の時表示部材や所定の分表示部材を把握する際に周囲の指標の形状を識別することで、所定の時表示部材や所定の分表示部材の周方向の位置を把握できる。したがって、視覚障害者に対して時刻を正確に認識させることができる。
【００１４】
上記の時計において、第１の前記指標は、前記所定軸の軸方向における前記表示領域側から見て、前記周方向における反時計回り方向に隣り合う第２の前記指標よりも、前記所定軸に直交する径方向の寸法が大きくなるように形成されている、ことが望ましい。
【００１５】
本発明によれば、第１の指標および第２の指標において、時計回り方向の下流側に位置する指標の方が上流側に位置する指標よりも径方向の寸法が大きくなるように並ぶ。このため、使用者に第１の指標および第２の指標の形状を識別させることで、時計回り方向および反時計回り方向を直感的に把握させることができる。したがって、視覚障害者に対して時刻をより迅速に認識させることができる。
【００１６】
上記の時計において、前記時表示部は、１２個の前記時表示部材を有し、前記分表示部は、６０個の前記分表示部材を有する、ことが望ましい。
【００１７】
本発明によれば、時を１時間刻みで表示できるとともに、分の１分刻みで表示できる。したがって、視覚障害者に対して時刻を正確に認識させることができる。
【００１８】
上記の時計において、外部から操作可能な操作入力部材を備え、前記所定の時表示部材および前記所定の分表示部材は、前記操作入力部材が操作された場合に変位する、ことが望ましい。
【００１９】
本発明によれば、操作入力部材が操作されていない場合に、時表示部材および分表示部材を変位させる電力が消費されることを抑制できる。したがって、消費電力が小さく、電池寿命の長い時計とすることができる。
【００２０】
上記の時計において、前記所定の時表示部材、および前記所定の分表示部材は、前記表示領域が面する方向に向かって突出する、ことが望ましい。
【００２１】
本発明によれば、所定の時表示部材や所定の分表示部材が表示領域において窪むように変位する構成と比較して、使用者が表示領域に触れた際に変位した所定の時表示部材や所定の分表示部材を容易に把握することができる。したがって、視覚障害者に対して時刻を正確かつ迅速に認識させることができる。
【００２２】
上記の時計において、前記複数の時表示部材および前記複数の分表示部材のうちいずれか１つの部材に当接する当接部、および前記部材の変位する方向と交差する方向に沿って前記当接部を変位させる動力部を有する駆動部と、前記当接部の変位により前記部材を変位させるカム機構と、を備えることが望ましい。
【００２３】
本発明によれば、複数の時表示部材および複数の分表示部材のうちいずれか１つの部材を変位させるカム機構は、前記部材の変位する方向と交差する方向に沿って変位する当接部により前記部材を変位させるので、前記部材を変位させる部品が前記部材の変位する方向に沿って変位する構成と比較して、前記部材を変位させる機構を前記部材の変位する方向に小さく形成することができる。したがって、時計を小型化することができる。
【００２４】
上記の時計において、前記動力部は、形状記憶合金により形成されるとともに、電流が流れることで伸縮する、ことが望ましい。
【００２５】
本発明によれば、動力部の伸縮する方向を当接部の変位する方向に一致させるように動力部を配置した上で動力部に電流を流すことにより、当接部を変位させることができる。このため、簡素な構成で駆動部を構成することができ、例えば磁力により時表示部材や分表示部材を変位させる構成と比較して、駆動部を小型化することが可能となる。したがって、時計をより小型化することができる。
【発明の効果】
【００２６】
本発明によれば、使用者に表示領域を触れさせることで、表示領域に並んで配置された複数の時表示部材のうち変位した所定の時表示部材、および表示領域に並んで配置された複数の分表示部材のうち変位した所定の分表示部材を把握させることができる。このため、表示する時刻の時に対応して変位する所定の時表示部材、および分に対応して変位する所定の分表示部材を、各時刻に対応して予め設定しておくことで、使用者が視覚に頼ることなく時刻を認識することができる。しかも、変位した時表示部材および分表示部材の位置を把握するだけで時刻を認識できるので、時刻が４文字の点字で表示される従来技術と比較して、使用者が時刻を迅速に認識することができる。したがって、視覚障害者に対して時刻を正確かつ迅速に認識させることができる。
【図面の簡単な説明】
【００２７】
【図１】実施形態に係る時計の斜視図である。
【図２】時表示部材および駆動部の斜視図である。
【図３】図２のＩＩＩ−ＩＩＩ線における部分断面図である。
【図４】図２のＩＩＩ−ＩＩＩ線における部分断面図である。
【発明を実施するための形態】
【００２８】
以下、本発明の実施形態を図面に基づいて説明する。
図１は、実施形態に係る時計の斜視図である。なお、図１では、１０時２５分を表示している場合を図示している。
図１に示すように、時計１は、時刻を表示する表示盤２と、表示盤２を保持するケース３と、ケース３の内部に収容された制御部４と、を備えている。なお、以下の説明では、時計１を腕に装着して使用するにあたって、使用者が視認する側を表側と称し、その反対側を裏側と称する。
【００２９】
ケース３は、表側を開口させるとともに、内部に制御部４を収容可能となっている。ケース３の表側開口部３ａは、表裏方向から見て円形状に形成されている。ケース３には、バンドを取り付けるための一対のバンド取付部１１が形成されている。ケース３の側面には、ボタン１２（操作入力部材）が設けられている。ボタン１２は、外部から操作可能に形成されている。ボタン１２は、後述する時刻表示を行う際に用いられる。なお、以下の説明では、表側開口部３ａの表裏方向に延びる中心軸Ｏ回りの周方向を単に「周方向」と称し、表裏方向に直交して中心軸Ｏから放射状に延びる方向を「径方向」と称する。また、図中矢印ＣＷは、周方向のうち、表側から見た時計回り方向を示している。
【００３０】
表示盤２は、使用者に指で触れさせることにより、使用者に時刻（時および分）を認識させる。表示盤２は、軸方向から見てケース３の表側開口部３ａの中心軸Ｏと同軸の円形状に形成され、ケース３の表側開口部３ａに固定されている。表示盤２の表側に面する箇所は、外部に露出した表示領域２ａとなっている。表示領域２ａは、使用者が時刻を認識する際に指で触れる部分である。
【００３１】
表示盤２は、基板２０と、使用者に時を認識させる時表示部２１と、使用者に分を認識させる分表示部２２と、基板２０の表面２０ａに配置された複数（本実施形態では１２個）の指標２３ａ〜２３ｌと、を備えている。
【００３２】
基板２０は、表示盤２の表示領域２ａの一部を構成している。基板２０の表面２０ａは、表裏方向に直交する平面状に形成されている。基板２０は、周方向に沿って延びる円環状に形成された外側基板２０ｂと、表裏方向から見て中心軸Ｏと同軸であって、外側基板２０ｂの内径よりも小径の円形状に形成された内側基板２０ｃと、を含んでいる。
内側基板２０ｃには、後述する時表示部材３０が配置される複数（本実施形態では１２個）の配置部２０ｄが形成されている。配置部２０ｄは、時表示部材３０に対応する形状に、表裏方向に貫通、または裏側に向かって窪んでいる。
【００３３】
複数の指標２３ａ〜２３ｌは、外側基板２０ｂにおける表面２０ａに設けられている。各指標２３ａ〜２３ｌは、基板２０の表面２０ａから表側に突出している。指標２３ａ〜２３ｌは、中心軸Ｏの周囲における所定時刻位置に配置されている。本実施形態では、複数の指標２３ａ〜２３ｌは、径方向の同じ位置において、周方向に等間隔（３０°ピッチ）で設けられている。なお、指標２３ａ〜２３ｌは、アナログ式時計の目盛りや略字と称することもある。
【００３４】
複数の指標２３ａ〜２３ｌのそれぞれは、隣り合う一対の指標同士が互いに異なる形状となるように形成されている。なお、言うまでもないが、複数の指標２３ａ〜２３ｌのそれぞれを、隣り合う一対の指標同士が互いに同じ、比例、または相似した形状としてもよい。
１２時の位置に設けられた指標２３ａは、表裏方向から見て二等辺三角形状に形成され、二等辺三角形の頂点（２本の等辺が共有する頂点）が径方向内側を向くように配置されている。
【００３５】
１時の位置から５時の位置に亘って設けられた５個の指標２３ｂ〜２３ｆは、それぞれ表裏方向から見て径方向に沿って延びる矩形状に形成されている。２時の位置から５時の位置に亘って設けられた各指標２３ｃ〜２３ｆは、反時計回り方向（時計回り方向上流側）に隣り合う他の指標よりも径方向の寸法が大きくなるように形成されている。具体的に、２時の位置に設けられた指標２３ｃは、１時の位置に設けられた指標２３ｂよりも径方向の寸法が大きくなるように形成されている。３時の位置に設けられた指標２３ｄは、２時の位置に設けられた指標２３ｃよりも径方向の寸法が大きくなるように形成されている。４時の位置に設けられた指標２３ｅは、３時の位置に設けられた指標２３ｄよりも径方向の寸法が大きくなるように形成されている。５時の位置に設けられた指標２３ｆは、４時の位置に設けられた指標２３ｅよりも径方向の寸法が大きくなるように形成されている。
【００３６】
６時の位置に設けられた指標２３ｇは、表裏方向から見て菱形状に形成され、菱形の一方の対角線が径方向に沿うように配置されている。
７時の位置から１１時の位置に設けられた５個の指標２３ｈ〜２３ｌは、それぞれ中心軸Ｏを挟んで反対側に位置する指標２３ｂ〜２３ｆと同形状に形成されている。８時の位置から１１時の位置に亘って設けられた各指標２３ｉ〜２３ｌは、２時の位置から５時の位置に亘って設けられた指標２３ｃ〜２３ｆと同様に、反時計回り方向に隣り合う指標よりも径方向の寸法が大きくなるように形成されている。
【００３７】
図２は、時表示部材および駆動部の斜視図である。
図１および図２に示すように、時表示部２１は、表裏方向から見て内側基板２０ｃの外周縁よりも径方向内側に配置されている。時表示部２１は、表示領域２ａにおいて周方向に等間隔で並んで配置された複数（本実施形態では１２個）の時表示部材３０と、時表示部材３０を表裏方向に沿って変位させる時表示部材３０と同数の駆動部３１と、を有する。時表示部２１は、所定の時表示部材３０が他の時表示部材３０に対して変位することで、時表示部２１に触れる使用者に時を認識させる。
【００３８】
時表示部材３０は、表裏方向に厚みを有する部材である。時表示部材３０は、例えば樹脂材料やセラミックス等の絶縁材料により形成されている。時表示部材３０は、表裏方向から見て径方向内側から外側に向かうに従い周方向の幅が漸次広がるように形成されている。具体的に、時表示部材３０は、表裏方向から見て等脚台形状に形成され、台形の一対の脚がそれぞれ径方向に沿って延びる状態で配置されている。時表示部材３０は、径方向の寸法が周方向の最大寸法よりも十分に大きくなるように形成されている。時表示部材３０の表側を向く面は、変位前の状態において、基板２０の表面２０ａと平行に形成されている。時表示部材３０は、その一部が基板２０の表面２０ａよりも表側に突出するように、内側基板２０ｃの配置部２０ｄに配置されている。
【００３９】
図２に示すように、時表示部材３０には、軸挿通孔３２と、溝部３３と、が形成されている。
軸挿通孔３２は、時表示部材３０の径方向内側の端部であって、基板２０の表面２０ａよりも裏側に位置する箇所に形成されている。軸挿通孔３２は、表裏方向から見た時表示部材３０の周方向中心部を通る中心線に対して直交する方向に貫通している。軸挿通孔３２には、不図示の軸部材が挿通される。時表示部材３０は、前記軸部材により基板２０に対して回動可能に軸支されるとともに、図示しない付勢部材により径方向外側の端部が裏側に向かう方向に付勢されている。
【００４０】
溝部３３は、時表示部材３０の裏面に形成されている。溝部３３は、表裏方向から見た時表示部材３０の周方向中心部において径方向に沿って一定の幅で延びている。溝部３３の底面は、径方向内側に位置し径方向に沿って延びる第１底面３３ａと、径方向外側に位置し径方向内側から外側に向かうに従い表側に向かって一定の角度で傾斜した第２底面３３ｂと、を有する。すなわち、溝部３３のうち径方向内側の箇所は、略一定の深さで延在し、溝部３３のうち径方向外側の箇所は、径方向内側から外側に向かうに従い漸次深くなっている。
【００４１】
駆動部３１は、時表示部材３０に当接する当接部３４と、当接部３４を変位させる伸縮部３５（動力部）と、を有する。当接部３４は、半球状に形成され、球面部３４ａを表側に向けるとともに平面部３４ｂを裏側に向けた状態で配置されている。当接部３４の表裏方向から見た外径は、溝部３３の幅よりも小さくなっている。当接部３４は、球面部３４ａを溝部３３の第２底面３３ｂに当接または近接させた状態で、溝部３３内における径方向外側の端部に配置されている。当接部３４は、裏側への変位を規制された状態で配置されている。
【００４２】
伸縮部３５は、Ｎｉ−Ｔｉ合金等の形状記憶合金により形成されている。本実施形態では、伸縮部３５は、バイオメタル（登録商標）により形成されている。伸縮部３５は、コイル状に形成され、伸縮方向を溝部３３の延在方向に一致させた状態で、溝部３３内に配置されている。伸縮部３５の径方向外側の端部は、当接部３４に接続されている。伸縮部３５の径方向内側の端部は、基板２０（図１参照）に対して固定されている。伸縮部３５の両端部は、それぞれ制御部４（図１参照）に電気的に接続されている。伸縮部３５は、電流が流れることで発熱して初期状態から径方向に縮み、冷却すると径方向に伸びて初期状態に戻る。
【００４３】
図３および図４は、図２のＩＩＩ−ＩＩＩ線における部分断面図である。図３は伸縮部３５が初期状態にある場合を図示し、図４は伸縮部３５が径方向に縮んだ状態にある場合を図示している。なお、図３および図４では、基板２０の表面２０ａの位置を二点鎖線で示している。
図３および図４に示すように、伸縮部３５が径方向に縮むと、当接部３４は径方向内側に向かって変位する。ここで、当接部３４の表側を向く球面部３４ａは、溝部３３の第２底面３３ｂに接触または近接している。また、第２底面３３ｂは、径方向内側から外側に向かうに従い表側に向かって傾斜している。このため、当接部３４が径方向内側に向かって変位すると、当接部３４は、球面部３４ａに当接する第２底面３３ｂを表側に向かって押圧する。これにより、時表示部材３０は、上述した付勢部材による付勢力に抗しつつ基板２０（図１参照）に対して回動し、表示領域２ａから突出するように変位する。すなわち、時表示部材３０の第２底面３３ｂ、および駆動部３１の当接部３４は、当接部３４の径方向の変位により時表示部材３０を表裏方向に変位させるカム機構を構成している。
【００４４】
図１に示すように、分表示部２２は、時表示部２１よりも径方向の外側の位置に配置されている。分表示部２２は、表裏方向から見て外側基板２０ｂの内周縁と内側基板２０ｃの外周縁との間に隙間なく配置されている。分表示部２２は、表示領域２ａにおいて周方向に密に並んで配置された複数（本実施形態では６０個）の分表示部材４０と、分表示部材４０を表裏方向に沿って変位させる分表示部材４０と同数の駆動部（不図示）と、を有する。なお図１では、見やすくするために変位していない複数の分表示部材４０を一体的に図示している。分表示部２２は、所定の分表示部材４０が他の分表示部材４０に対して変位することで、分表示部２２に触れる使用者に現在時刻の分を認識させる。なお、分表示部材４０は、表裏方向から見た形状以外、上述した時表示部材３０と同様に形成されているので、以下の分表示部材４０の説明では、主に表裏方向から見た形状について説明する。また、分表示部２２の駆動部は、時表示部２１の駆動部３１と同様に形成されているので、時表示部２１の駆動部３１（図２参照）と同一の符号を付して詳細な説明を省略する。
【００４５】
分表示部材４０は、表裏方向に厚みを有する部材である。分表示部材４０は、表裏方向から見て径方向内側から外側に向かうに従い周方向の幅が漸次広がるように形成されている。具体的に、分表示部材４０は、表裏方向から見て等脚台形状に形成され、台形の一対の脚がそれぞれ径方向に沿って延びる状態で配置されている。分表示部材４０は、径方向の寸法が周方向の最大寸法よりも十分に大きくなるように形成されている。表裏方向から見た分表示部材４０の径方向内側の端縁は、内側基板２０ｃの外周縁に沿う円弧状に形成されている。表裏方向から見た分表示部材４０の径方向外側の端縁は、外側基板２０ｂの内周縁に沿う円弧状に形成されている。分表示部材４０は、一部が基板２０の表面２０ａよりも表側に突出するように配置されている。分表示部材４０の表側を向く面は、変位前の状態において、基板２０の表面２０ａと平行に形成されるとともに、時表示部材３０の表側を向く面と表裏方向における同じ位置に位置している。
【００４６】
制御部４は、計時機能を有する回路が設けられたプリント基板や電池等を備えている。具体的に、プリント基板には、発振回路や分周回路、ＲＯＭ（Ｒｅａｄ  Ｏｎｌｙ  Ｍｅｍｏｒｙ、読み出し専用メモリ）、ＲＡＭ（Ｒａｎｄｏｍ  Ａｃｃｅｓｓ  Ｍｅｍｏｒｙ、ランダムアクセスメモリ）、ＣＰＵ等が実装されている。制御部４は、例えば電波時計の送信局や、ＧＰＳ（Ｇｌｏｂａｌ  Ｐｏｓｉｔｉｏｎｉｎｇ  Ｓｙｓｔｅｍ）の人口衛星から時刻情報を受信するように構成されていてもよい。制御部４は、不図示の導線等を介して、時表示部２１の各伸縮部３５、および分表示部２２の各駆動部３１の伸縮部３５に電気的に接続されている。
【００４７】
以下、本実施形態の時計１の動作について説明する。
制御部４は、使用者によりボタン１２が操作された場合に、現在時刻に対応する時表示部材３０および分表示部材４０を表側に向かって変位させる。具体的に、制御部４は、複数の時表示部材３０のうち現在時刻の時に対応する位置にある時表示部材３０のみを、他の時表示部材３０よりも表側に変位させるべく、変位対象の時表示部材３０を変位させる駆動部３１の伸縮部３５に所定時間通電する。同時に、制御部４は、複数の分表示部材４０のうち現在時刻の分に対応する位置にある分表示部材４０のみを、他の分表示部材４０よりも表側に変位させるべく、変位対象の分表示部材４０を変位させる駆動部３１の伸縮部３５に所定時間通電する。
【００４８】
上述したように、駆動部３１の伸縮部３５に電流を流すと、時表示部材３０や分表示部材４０が表側に変位する。例えば図１に示す状態では、１０時の位置に対応する時表示部材３０が他の時表示部材３０に対して表側に変位し、２５分の位置に対応する分表示部材４０が他の分表示部材４０に対して表側に変位している。この状態で、使用者が表示盤２の表示領域２ａに触れることで、視覚に頼ることなく現在時刻を認識することが可能となる。
【００４９】
制御部４は、ボタン１２が操作されてから所定時間経過すると、駆動部３１の伸縮部３５への通電を停止する。これにより、伸縮部３５の発熱が停止して冷却され、伸縮部３５が径方向に延びる。すると、時表示部材３０および分表示部材４０は、それぞれ上述した付勢部材（不図示）により、他の時表示部材３０や分表示部材４０と表裏方向における同じ位置に復元する。
以上により時計１の時刻表示の動作が完了する。
【００５０】
このように、本実施形態では、外部に露出した表示領域２ａに並んで配置された複数の時表示部材３０を有し、所定の時表示部材３０が他の時表示部材３０に対して変位する時表示部２１と、表示領域２ａに並んで配置された複数の分表示部材４０を有し、所定の分表示部材４０が他の分表示部材４０に対して変位する分表示部２２と、を備える構成とした。この構成によれば、使用者に表示領域２ａを触れさせることで、表示領域２ａに並んで配置された複数の時表示部材３０のうち変位した時表示部材３０、および表示領域２ａに並んで配置された複数の分表示部材４０のうち変位した分表示部材４０を把握させることができる。このため、表示する時刻の時に対応して変位する時表示部材３０、および分に対応して変位する分表示部材４０を、各時刻に対応して予め設定しておくことで、使用者が視覚に頼ることなく時刻を認識することができる。しかも、変位した時表示部材３０および分表示部材４０の位置を把握するだけで時刻を認識できるので、時刻が４文字の点字で表示される従来技術と比較して、使用者が時刻を迅速に認識することができる。したがって、視覚障害者に対して時刻を正確かつ迅速に認識させることができる。
【００５１】
しかも、複数の時表示部材３０、および複数の分表示部材４０は、周方向に並んで配置されているので、一般的なアナログ式時計のように時針および分針の周方向の位置を把握することで時刻を認識する構成と同様に、変位した時表示部材３０および分表示部材４０の周方向の位置を把握するだけで時刻を認識できる。したがって、直感的に時刻を認識することが可能となるので、視覚障害者に対して時刻をより迅速に認識させることができる。
【００５２】
また、従来技術の視覚障害者用の時計として、従来のアナログ式時計と同様に時針および分針を備え、時針および分針に触れさせることで時刻を認識させる時計がある。この場合、使用者の接触により時針や分針の変形や回転等が生じ、正確な時刻を表示することができなくなる可能性がある。本実施形態では、時針および分針を用いることなく時刻を表示できるので、従来技術と比較して優れた信頼性を有する時計１とすることができる。
【００５３】
また、一般的なアナログ式時計では、分針が時針よりも長く形成されている。すなわち、分針の先端は、時針の先端よりも回転軸から離れた位置に位置する。
本実施形態では、周方向に並んで配置された複数の分表示部材４０を有する分表示部２２が、周方向に並んで配置された複数の時表示部材３０を有する時表示部２１よりも外側に配置されている。このため、変位した時表示部材３０および分表示部材４０に触れた際に、いずれが分表示部材４０であるかを、一般的なアナログ式時計の時針と分針との位置関係に対応付けて直感的に識別することができる。したがって、視覚障害者に対して時刻をより迅速に認識させることができる。
【００５４】
また、複数の指標２３ａ〜２３ｌは、隣り合う指標同士が互いに異なる形状となるように形成されているので、使用者に指標を触れさせて指標の形状を識別させることで、指標の形状の差異により、触れた指標の周方向における位置を把握させることができる。これにより、変位した時表示部材３０や分表示部材４０を把握する際に周囲の指標の形状を識別することで、変位した時表示部材３０や分表示部材４０の周方向の位置を把握できる。したがって、視覚障害者に対して時刻を正確に認識させることができる。
【００５５】
また、複数の指標２３ａ〜２３ｌのうち指標２３ｃ〜２３ｆ，２３ｉ〜２３ｌのそれぞれは、表側から見て周方向における反時計回り方向に隣り合う指標よりも、径方向の寸法が大きくなるように形成されている。このため、指標２３ｂ〜２３ｆ，２３ｈ〜２３ｌにおいて、時計回り方向の下流側に位置する指標の方が上流側に位置する指標よりも径方向の寸法が大きくなるように並ぶ。このため、使用者に指標２３ｂ〜２３ｆ，２３ｈ〜２３ｌの形状を識別させることで、時計回り方向および反時計回り方向を直感的に把握させることができる。したがって、視覚障害者に対して時刻をより迅速に認識させることができる。
【００５６】
また、時表示部２１は、１２個の時表示部材３０を有し、分表示部２２は、６０個の分表示部材４０を有するので、時を１時間刻みで表示できるとともに、分の１分刻みで表示できる。したがって、視覚障害者に対して時刻を正確に認識させることができる。
【００５７】
また、本実施形態では、時計１は、外部から操作可能なボタン１２を備え、時表示部材３０および分表示部材４０は、ボタン１２が操作された場合に変位する構成とした。この構成によれば、ボタン１２が操作されていない場合に時表示部材３０および分表示部材４０を変位させる電力が消費されることを抑制できる。したがって、消費電力が小さく、電池寿命の長い時計１とすることができる。
【００５８】
また、時表示部材３０および分表示部材４０は、表側に向かって突出するので、時表示部材および分表示部材が窪むように変位する構成と比較して、使用者が表示領域２ａに触れた際に変位した時表示部材３０や分表示部材４０を容易に把握することができる。したがって、視覚障害者に対して時刻を正確かつ迅速に認識させることができる。
【００５９】
しかも、本実施形態では、時計１は、複数の時表示部材３０のそれぞれに当接する当接部３４、および時表示部材３０の変位する方向（すなわち表裏方向）と交差する方向（径方向）に沿って当接部３４を変位させる伸縮部３５を有する駆動部３１と、当接部３４の変位により時表示部材３０を変位させるカム機構と、を備える。この構成によれば、カム機構は、径方向に沿って変位する当接部３４により時表示部材３０を変位させるので、時表示部材３０を変位させる部品が表裏方向に沿って変位する構成と比較して、時表示部材３０を変位させる機構を表裏方向に小さく形成することができる。分表示部材４０を変位させる駆動部３１およびカム機構についても同様である。したがって、表裏方向に厚みを有する時計１の厚みを薄くして、時計１を小型化することができる。
【００６０】
さらに、伸縮部３５は、形状記憶合金により形成されるとともに、電流が流れることで伸縮するので、伸縮部３５の伸縮する方向を当接部３４の変位する方向に一致させるように伸縮部３５を配置した上で伸縮部３５に電流を流すことにより、当接部３４を変位させることができる。このため、簡素な構成で駆動部３１を構成することができ、例えば磁力により時表示部材３０を変位させる構成と比較して、駆動部３１を小型化することが可能となる。分表示部材４０を変位させる駆動部３１についても同様である。したがって、時計１の厚みを薄くして、時計１を小型化することができる。
【００６１】
なお、本発明は、図面を参照して説明した上述の実施形態に限定されるものではなく、その技術的範囲において様々な変形例が考えられる。
例えば、上記実施形態においては、使用者に時刻を認識させる際に、現在時刻に対応する位置にある時表示部材３０および分表示部材４０を他の時表示部材３０や分表示部材４０に対して表示領域２ａから突出する方向（表側）に向かって変位させている。しかしながらこれに限定されず、例えば、現在時刻に対応する位置にある時表示部材および分表示部材を他の時表示部材や分表示部材に対して凹む方向（裏側）に向かって変位させてもよい。また、現在時刻に対応する位置にある時表示部材および分表示部材を他の時表示部材や分表示部材に対して径方向の外側に向かって変位させてもよい。
【００６２】
また、上記実施形態では、使用者に時刻を認識させる際に、現在時刻に対応する位置にある時表示部材３０および分表示部材４０のみを他の時表示部材３０や分表示部材４０に対して変位させている。しかしながらこれに限定されるものではなく、例えば、現在時刻および１２時以降の経過時刻に対応する全ての時表示部材３０と、現在時刻および毎時０分以降の経過時刻に対応する全ての分表示部材４０と、を変位させてもよい。具体的に、例えば１０時２５分を表示する場合、１２時から１０時に対応する１１個の時表示部材３０と、０分から２５分に対応する２６個の分表示部材４０と、を変位させてもよい。
【００６３】
また、上記実施形態では、駆動部３１において当接部３４を径方向に沿って変位させる動力部として、形状記憶合金によりコイル状に形成された伸縮部３５を用いているが、これに限定されない。動力部として、例えばボイスコイルモータ等を用いてもよい。
【００６４】
また、上記実施形態では、カム機構により時表示部材３０や分表示部材４０を表裏方向に変位させているが、これに限定されない。時表示部材や分表示部材を変位させる動力源として、例えば熱変化により表裏方向に曲がるバイメタル、または電界作用でその形や大きさを変更できる電気活性ポリマーを用いてもよい。
【００６５】
また、上記実施形態では、時表示部２１が複数の時表示部材３０により形成されているが、これに限定されない。時表示部は、表裏方向に変位可能に形成された複数の指標により形成されていてもよい。また、時表示部は、複数の時表示部材３０、および表裏方向に変位可能に形成された複数の指標により形成されていてもよい。
【００６６】
また、時計１は、ボタン１２が操作された場合に、所定の時表示部材３０および所定の分表示部材４０を変位させると同時に、音声や振動等により時刻を通知するように構成されていてもよい。
また、時表示部材および分表示部材は、各別に点灯可能に形成され、制御部は、変位する時表示部材および分表示部材を点灯するように制御してもよい。これにより、弱視者に対して視覚および触覚の両方で時刻を認識させることができる。
【００６７】
また、時計１は、スマートフォン等の外部機器と通信可能に形成され、外部機器に対して時計１のメンテナンス時期やバッテリ残量、時計１を装着している人の体温、脈拍数、地図位置等の情報を表示させるように形成されていてもよい。
【００６８】
その他、本発明の趣旨を逸脱しない範囲で、上記した実施の形態における構成要素を周知の構成要素に置き換えることは適宜可能である。
【符号の説明】
【００６９】
１…時計  ２ａ…表示領域  １２…ボタン  ２１…時表示部  ２２…分表示部  ２３ａ，２３ｂ，２３ｃ，２３ｄ，２３ｅ，２３ｆ，２３ｇ，２３ｈ，２３ｉ，２３ｊ，２３ｋ，２３ｌ…指標  ３０…時表示部材  ３１…駆動部  ３３ｂ…第２底面（カム機構）  ３４…当接部（カム機構）  ３５…伸縮部（動力部）  ４０…分表示部材  Ｏ…中心軸（所定軸）
【図１】
2018072208.tif 000003
【図２】
2018072208.tif 000004
【図３】
2018072208.tif 000005
【図４】
2018072208.tif 000006